(57)【要約】【課題】日出時刻、日入時刻、日照時間、太陽光線の入射角度、太陽光発電量といった、太陽全般に関する情報を１年にわたって知ることのできる日の出入表を提供する。【解決手段】少なくとも、日出時刻の年間の変化をあらわす第１の線１と日入時刻の年間の変化を表す第２の線２が記載された、年間日出日入時刻表示グラフ３と、夏至期間日出日入時刻表示グラフ４と、冬至期間日出日入時刻表示グラフ５と、各１２ヶ月の１日における、少なくとも日出時刻、日入時刻、日照時間、太陽高度、快晴時に得られると予想される太陽光発電量の参考数値、その月における1日平均日照増減時間が記載された太陽関連データ一覧表６を、印刷物の一面または見開き一面に配して表示したことを特徴とする。【選択図】図１
0003168592.tif 000002
【実用新案登録請求の範囲】
【請求項１】
少なくとも、
横軸が１年で縦軸が時刻で日出時刻の年間の変化をあらわす第１の線（１）と日入時刻の年間の変化を表す第２の線（２）が記載された年間日出日入時刻表示グラフ（３）と、
横軸が夏至を中心とした一定期間で縦軸が時刻で夏至付近の日出時刻の変化をあらわす第１の線（１）と夏至付近の日入時刻の変化をあらわす第２の線（２）が記載されている夏至期間日出日入時刻表示グラフ（４）と、
横軸が冬至を中心とした一定期間で縦軸が時刻で冬至付近の日出時刻の変化を表す第１の線（１）と冬至付近の日入時刻の変化を表す第２の線（２）が記載されている冬至期間日出日入時刻表示グラフ（５）と、
各１２ヶ月の１日における、少なくとも日出時刻、日入時刻、日照時間、太陽高度、快晴時に得られると予想される参考発電量、その月における1日平均日照増減時間の、それぞれの数字が記載された太陽関連データ一覧表（６）を、
印刷物の一面または見開き一面に配して表示したことを特徴とする日の出入表。
【考案の詳細な説明】
【技術分野】
【０００１】
この考案は、日出時刻、日入時刻、日照時間、太陽光線の入射角度、太陽光発電量といった、太陽全般に関する情報を１年にわたって知ることのできる日の出入表に関するものである。
【背景技術】
【０００２】
地球に住むわれわれ人間の生活は、太古から今日にいたるまで、太陽の影響を大きく受けている。
昼と夜の変化、気温や天候の変化、四季の変化、動植物の生育、農作物の収穫、大気の流れや海流、海中環境の変化、紫外線や宇宙線の変化、といったあらゆることが、太陽の影響によってもたらされる。
また、近年、地球温暖化が進むなか、地球温暖化ガスを発生させないクリーンエネルギーとして、太陽エネルギーに対する需要と関心が高まっている。
太陽の様々な働きを全体的に把握することができるようになれば、そのことを生活や産業など様々な分野に取り入れて積極的に活用することができるようになる。
ところが一方、太陽の日々の変化に対して日頃から注意をはらって生活している人はそれほど多くないのが実情である。
それには、毎日の太陽の動きを容易に知ることのできる情報をまとめたような表が存在していないことが、理由の一つとしてあげられる。
このことに鑑み、本考案の考案者は、過去に、「日の出、日の入時刻表」なるものを考案した（実開昭５９−５３４３３号公報参照。）。この表は、縦軸に時刻をとり、横軸に１年をとり、その上に日の出時刻をあらわす第１の線と日の入時刻をあらわす第２の線を表示したものであり、第１の線を見ることでその日のほぼ正確な日の出の時刻を知ることができ、第２の線を見ることでその日のほぼ正確な日の入の時刻を知ることができた。
【特許文献１】実開昭５９−５３４３３号公報
【考案の開示】
【考案が解決しようとする課題】
【０００３】
予め知っておくとその日の太陽の全体像を把握することにつながる情報として、日の出の時刻、日の入の時刻、日が出ている時間の長さである日照時間、１日ごとに変化する日照時間の増減、日の高さを角度であらわした太陽高度、太陽光線から得られると予想される参考発電量をあげることができる。
しかし、上記従来の表には、日の出時刻と日の入時刻の２つの情報だけが表示されており、その他の情報は表示されていなかった。
日の出と日の入をあらわす２本の曲線のひらき具合によって、日照時間の変化を視覚的に表現しているが、日照時間が何時間何分であるという具体的な数字による表示はない。
したがって、この従来の表を見たとしても、２本の線から日の出の時刻と日の入の時刻を知ることができるのみで、太陽の全体像を把握することはできなかった。
日の出の時刻がマイナスからプラスに反転し日の入の時刻がプラスからマイナスに反転する夏至付近の微妙な変化と、日の出の時刻がプラスからマイナスに反転し日の入の時刻がマイナスからプラスに反転する冬至付近の微妙な変化は、年間の日の出と日の入を表示した表から読み取ることは大変困難であった。
日の出の時刻と日の入の時刻の変化を把握することはできるが、日照時間の長さや太陽の高さは記載されていないため、日照時間の長さや太陽の高度によって季節の移り変わりを把握することができなかった。
まだ太陽光発電システムを設置していなくとも、設置した場合に得られる発電量を想像してみることができるような情報が何も表示されていない。
【０００４】
本考案は、上記従来の課題を解決するための日の出入表を提供することを目的とする。
【課題を解決するための手段】
【０００５】
上記目的を達成するため、本考案の請求項１の日の出入表は、少なくとも、横軸が１年で縦軸が時刻で日出時刻の年間の変化をあらわす第１の線と日入時刻の年間の変化を表す第２の線が記載された年間日出日入時刻表示グラフと、横軸が夏至を中心とした一定期間で縦軸が時刻で夏至付近の日出時刻の変化をあらわす第１の線と夏至付近の日入時刻の変化をあらわす第２の線が記載されている夏至期間日出日入時刻表示グラフと、横軸が冬至を中心とした一定期間で縦軸が時刻で冬至付近の日出時刻の変化を表す第１の線と冬至付近の日入時刻の変化を表す第２の線が記載されている冬至期間日出日入時刻表示グラフと、各１２ヶ月の１日における、少なくとも日出時刻、日入時刻、日照時間、太陽高度、太陽光発電をおこなった場合に得られると予想される参考発電量と、その月における1日平均日照増減時間のそれぞれの数字が記載された太陽関連データ一覧表を、印刷物の一面または見開き一面に配して表示したことを特徴とする。
【考案の効果】
【０００６】
請求項１に記載された日の出入表によれば、印刷物の一面または見開き一面に、年間日出日入時刻表示グラフと夏至期間日出日入時刻表示グラフと冬至期間日出日入時刻表示グラフと太陽関連データ一覧表の４つを配して表示しているため、年間日出日入時刻表示グラフによって１年間の日出時刻と日入時刻を知ることができ、夏至期間日出日入時刻表示グラフによって日の出の時刻がマイナスからプラスに反転し日の入の時刻がプラスからマイナスに反転する夏至付近の微妙な変化を知ることができ、冬至期間日出日入時刻表示グラフによって日の出の時刻がプラスからマイナスに反転し日の入の時刻がマイナスからプラスに反転する冬至付近の微妙な変化を知ることができ、太陽関連データ一覧表に記載された数字によって１２ヶ月の各初日における日出時刻と日入時刻と日照時間とその月における1日平均日照増減時間と太陽高度と太陽光発電をおこなった場合に得られると予想される参考発電量を知ることができる。
太陽の全体像を把握でき、日々の変化を知ることができるため、このことを生活や産業など様々な分野に取り入れて積極的に活用することができるようになる。
日出日入の時刻とともに太陽高度が記載されているので、その日の日出から、日中、日没までの太陽の動きを把握することができる。
日出時刻、日入時刻、日照時間の長さと１日毎の増減、太陽高度、それぞれを知ることで、季節の移り変わりを確実に把握することができる。
太陽への関心を高めることができ、太陽光発電システムの一般家庭への普及促進効果も期待できる。参考発電量を見ることにより、まだ設置していなくとも、設置した場合にどれくらいの発電量が得られるようになるかを想像することが可能となる。すでに導入している場合は、実際の発電量と太陽の動きとの間にどのような関係があるのかを理解する上での助けとなる。
【考案を実施するための最良の形態】
【０００７】
以下、図面にもとづいて本考案に係わる日の出入表を実施するための最良の形態について説明するが、本考案がこれらの形態にのみ限定されるべきものでないことはいうまでもない。
【０００８】
図１は、紙の一面に、年間日出日入時刻表示グラフ３と夏至期間日出日入時刻表示グラフ４と冬至期間日出日入時刻表示グラフ５と太陽関連データ一覧表６を配して印刷表示された日の出入表である。題名は自由であるが、本実施形態においては、日出時刻・日入時刻・日照時間・月別推移表、と表示してある。各グラフと表をどうレイアウトするかは自由であるが、本実施形態においては、紙の上方に年間日出日入時刻表示グラフ３を配し、紙の下方に太陽関連データ一覧表６を配し、年間日出日入時刻表示グラフ３の邪魔にならない場所に夏至期間日出日入時刻表示グラフ４と冬至期間日出日入時刻表示グラフ５を配した。
年間日出日入時刻表示グラフ３は、横軸を１年とし縦軸を１日の時刻とし、そこに日々の日出時刻を結んだ第１の線１と、日々の日入時刻を結んだ第２の線２を、それぞれ記載したものである。本実施形態の縦軸は、午前４時２０分から午前７時までと、午後４時から午後７時までを表示し、それ以外の時間帯を省略してある。本実施形態では、年間日出日入時刻表示グラフ３に備考欄を設けて、夏至は日出時刻が午前４時２５分で日入時刻が午後７時で日照時間が年間最長の１４時間３５分間であることと、冬至は日出時刻が午前６時４７分で日入時刻が午後４時３２分で日照時間が年間最短の９時間４５分間であることと、夏至と冬至の日照時間の差が４時間５０分であることと、春分は日出時刻が午前５時４５分で日入時刻が午後５時５３分で日照時間が１２時間８分であることと、秋分は日出時刻が午前５時３０分で日入時刻が午後５時３７分で日照時間が１２時間７分であることと、秋分が春分と比べて日出時刻が１５分早く日入時刻が１６分早いことが記載されている。
夏至期間日出日入時刻表示グラフ４は、横軸を夏至を中心とした一定期間とし、縦軸を１日の時刻とし、そこに日々の日出時刻を結んだ第１の線１と、日々の日入時刻を結んだ第２の線２を、それぞれ記載したものである。本実施形態の横軸は、５月２０日から７月２０日までの２ヶ月間であり、夏至がどこにあるかが示されている。本実施形態の縦軸は、午前４時２０分から午前４時４０分までと、午後６時４０分から午後７時までを表示し、それ以外の時間帯を省略してある。夏至期間日出日入時刻表示グラフ４の横軸の長さは、年間日出日入時刻表示グラフ３の横軸における２ヶ月間の長さの３倍あるため、日出時刻がマイナスからプラスに反転し日入時刻がプラスからマイナスに反転する夏至付近の微妙な変化が一目瞭然である。
冬至期間日出日入時刻表示グラフ５は、横軸を冬至を中心とした一定期間とし、縦軸を１日の時刻とし、そこに日々の日出時刻を結んだ第１の線１と、日々の日入時刻を結んだ第２の線２を、それぞれ記載したものである。本実施形態の横軸は、１２月１日から１月１５日までの１ヶ月半であり、冬至がどこにあるかが示されている。本実施形態の縦軸は、午前６時３０分から午前６時５０分までと、午後４時２５分から午後４時５０分までを表示し、それ以外の時間帯を省略してある。冬至期間日出日入時刻表示グラフ５の横軸の長さは、年間日出日入時刻表示グラフ３の横軸における１ヶ月半の長さの３倍あるため、日出時刻がプラスからマイナスに反転し日入時刻がマイナスからプラスに反転する冬至付近の微妙な変化が一目瞭然である。
太陽関連データ一覧表６は、縦に項目名の欄が並び、横に１２ヶ月の欄が並ぶ。項目名は、日出時刻、日入時刻、日照時間、日照時間増減、日照時間増減（１日当り）、入射角度、１平方メートル当りの太陽エネルギーである。日出時刻の１２ヶ月の欄には、毎月１日における日出時刻が記載されている。日入時刻の１２ヶ月の欄には、毎月１日における日入時刻が記載されている。日照時間の１２ヶ月の欄には、毎月１日における日照時間が記載されている。日照時間増減の１２ヶ月の欄には、１月単位の日照時間の増減時間（1日平均日照増減時間のこと。）が記載されている。日照時間増減（１日当り）の１２ヶ月の欄には、１日単位の日照時間の増減時間が記載されている。入射角度の１２ヶ月の欄には、毎月１日における最高時の太陽高度とその時の時間が記載されている。太陽エネルギーの１２ヶ月の欄には、毎月１日における参考発電量が記載されている。本実施形態では、太陽関連データ一覧表６に備考欄を設けて、最も早い日出時刻は６月５日から６月２２日までの午前４時２５分であることと、最も遅い日出時刻は１月１日から１月１４日までの午前６時５１分であることと、最も早い日入時刻は１１月３０日から１２月１３日までの午後４時２８分であることと、最も遅い日入時刻は６月２５日から７月５日までの午後７時１分であることが記載されている。
太陽関連データ一覧表６における入射角度とは太陽高度をあらわした項目名である。ここには、たとえば、南中時の太陽高度を記載してもよい。太陽高度は観測地点の緯度によって多少異なるが、東京に代表させてもよいし、複数の緯度における太陽高度を並記してもよい。
太陽関連データ一覧表６における太陽エネルギーとは参考発電量をあらわした項目名である。ここではいくつかの条件を設定しシミュレーションして得られた数値を記載している。太陽光発電を導入した場合にどれくらいの発電量が期待できるかを想像するための目安になる数値である。太陽電池パネルを設置できる屋根の面積×参考発電量＝見込める発電量の参考数値ということで、各自で簡単に算出することが可能である。しかし実際の発電量は、設置する場所、太陽光発電システムの種類、太陽電池パネルの面積や設置方向や設置角度、天候、太陽光パネルの温度など、様々な要因に左右されるため、参考発電量と実際の発電量が一致しない可能性が高いといえる。参考発電量の１２ヶ月の欄において、日差しが強くなる夏の期間に発電量がダウンする現象がみられるが、これは太陽電池パネルが太陽の熱に焼かれて高温となり、発電効率が低下したことによるものである。
日の出入表をどのような形態で実施するかは自由である。１枚の印刷物でもよい。見開き一面の印刷物としてもよい。カレンダーの裏などに印刷してもよい。学校で啓蒙用に張り出してもよいし、教材として用いてもよい。太陽光発電システム普及のための資料として活用してもよい。
【図面の簡単な説明】
【０００９】
【図１】本考案に係わる日の出入表の一実施形態をあらわす平面図である。
【符号の説明】
【００１０】
１  日出時刻の年間の変化を表す第１の線
２  日入時刻の年間の変化を表す第２の線
３  年間日出日入時刻表示グラフ
４  夏至期間日出日入時刻表示グラフ
５  冬至期間日出日入時刻表示グラフ
６  太陽関連データ一覧表
【図１】
0003168592.tif 000003
【手続補正書】
【提出日】平成22年12月16日(2010.12.16)
【手続補正１】
【補正対象書類名】実用新案登録請求の範囲
【補正対象項目名】全文
【補正方法】変更
【補正の内容】
【実用新案登録請求の範囲】
【請求項１】
少なくとも、  印刷物の一面または見開き一面の、  上方に、横軸が１年で縦軸が時刻で日出時刻の年間の変化をあらわす第１の線（１）と日入時刻の年間の変化を表す第２の線（２）が記載された年間日出日入時刻表示グラフ（３）を配して表示し、  下方に、各１２ヶ月の１日における、少なくとも日出時刻、日入時刻、日照時間、太陽高度、快晴時に得られると予想される参考発電量、その月における1日平均日照増減時間の、それぞれの数字が記載された太陽関連データ一覧表（６）を配して表示し、  横軸が夏至を中心とした一定期間で縦軸が時刻で夏至付近の日出時刻の変化をあらわす第１の線（１）と夏至付近の日入時刻の変化をあらわす第２の線（２）が記載されている夏至期間日出日入時刻表示グラフ（４）と、  横軸が冬至を中心とした一定期間で縦軸が時刻で冬至付近の日出時刻の変化をあらわす第１の線（１）と冬至付近の日入時刻の変化をあらわす第２の線（２）が記載されている冬至期間日出日入時刻表示グラフ（５）を、  前記年間日出日入時刻表示グラフ（３）の第１の線（１）と第２の線（２）の邪魔にならない場所に配して表示したことを特徴とする日の出入表。
【手続補正２】
【補正対象書類名】明細書
【補正対象項目名】０００５
【補正方法】変更
【補正の内容】
【０００５】  上記目的を達成するため、本考案の請求項１の日の出入表は、少なくとも、印刷物の一面または見開き一面の、上方に、横軸が１年で縦軸が時刻で日出時刻の年間の変化をあらわす第１の線と日入時刻の年間の変化を表す第２の線が記載された年間日出日入時刻表示グラフを配して表示し、下方に、各１２ヶ月の１日における、少なくとも日出時刻、日入時刻、日照時間、太陽高度、快晴時に得られると予想される参考発電量、その月における1日平均日照増減時間の、それぞれの数字が記載された太陽関連データ一覧表を配して表示し、横軸が夏至を中心とした一定期間で縦軸が時刻で夏至付近の日出時刻の変化をあらわす第１の線と夏至付近の日入時刻の変化をあらわす第２の線が記載されている夏至期間日出日入時刻表示グラフと、横軸が冬至を中心とした一定期間で縦軸が時刻で冬至付近の日出時刻の変化をあらわす第１の線と冬至付近の日入時刻の変化をあらわす第２の線が記載されている冬至期間日出日入時刻表示グラフを、前記年間日出日入時刻表示グラフの第１の線と第２の線の邪魔にならない場所に配して表示したことを特徴とする。
【手続補正３】
【補正対象書類名】明細書
【補正対象項目名】０００８
【補正方法】変更
【補正の内容】
【０００８】  図１は、紙の一面に、年間日出日入時刻表示グラフ３と夏至期間日出日入時刻表示グラフ４と冬至期間日出日入時刻表示グラフ５と太陽関連データ一覧表６を配して印刷表示された日の出入表である。題名は自由であるが、本実施形態においては、日出時刻・日入時刻・日照時間・月別推移表、と表示してある。紙の上方に年間日出日入時刻表示グラフ３を配し、紙の下方に太陽関連データ一覧表６を配し、年間日出日入時刻表示グラフ３の邪魔にならない場所に夏至期間日出日入時刻表示グラフ４と冬至期間日出日入時刻表示グラフ５を配した。年間日出日入時刻表示グラフ３の第１の線１と第２の線２が描かれていない箇所に夏至期間日出日入時刻表示グラフ４と冬至期間日出日入時刻表示グラフ５が表示されている。  年間日出日入時刻表示グラフ３は、横軸を１年とし縦軸を１日の時刻とし、そこに日々の日出時刻を結んだ第１の線１と、日々の日入時刻を結んだ第２の線２を、それぞれ記載したものである。本実施形態の縦軸は、午前４時２０分から午前７時までと、午後４時から午後７時までを表示し、それ以外の時間帯を省略してある。本実施形態では、年間日出日入時刻表示グラフ３に備考欄を設けて、夏至は日出時刻が午前４時２５分で日入時刻が午後７時で日照時間が年間最長の１４時間３５分間であることと、冬至は日出時刻が午前６時４７分で日入時刻が午後４時３２分で日照時間が年間最短の９時間４５分間であることと、夏至と冬至の日照時間の差が４時間５０分であることと、春分は日出時刻が午前５時４５分で日入時刻が午後５時５３分で日照時間が１２時間８分であることと、秋分は日出時刻が午前５時３０分で日入時刻が午後５時３７分で日照時間が１２時間７分であることと、秋分が春分と比べて日出時刻が１５分早く日入時刻が１６分早いことが記載されている。  夏至期間日出日入時刻表示グラフ４は、横軸を夏至を中心とした一定期間とし、縦軸を１日の時刻とし、そこに日々の日出時刻を結んだ第１の線１と、日々の日入時刻を結んだ第２の線２を、それぞれ記載したものである。本実施形態の横軸は、５月２０日から７月２０日までの２ヶ月間であり、夏至がどこにあるかが示されている。本実施形態の縦軸は、午前４時２０分から午前４時４０分までと、午後６時４０分から午後７時までを表示し、それ以外の時間帯を省略してある。夏至期間日出日入時刻表示グラフ４の横軸の長さは、年間日出日入時刻表示グラフ３の横軸における２ヶ月間の長さの３倍あるため、日出時刻がマイナスからプラスに反転し日入時刻がプラスからマイナスに反転する夏至付近の微妙な変化が一目瞭然である。  冬至期間日出日入時刻表示グラフ５は、横軸を冬至を中心とした一定期間とし、縦軸を１日の時刻とし、そこに日々の日出時刻を結んだ第１の線１と、日々の日入時刻を結んだ第２の線２を、それぞれ記載したものである。本実施形態の横軸は、１２月１日から１月１５日までの１ヶ月半であり、冬至がどこにあるかが示されている。本実施形態の縦軸は、午前６時３０分から午前６時５０分までと、午後４時２５分から午後４時５０分までを表示し、それ以外の時間帯を省略してある。冬至期間日出日入時刻表示グラフ５の横軸の長さは、年間日出日入時刻表示グラフ３���横軸における１ヶ月半の長さの３倍あるため、日出時刻がプラスからマイナスに反転し日入時刻がマイナスからプラスに反転する冬至付近の微妙な変化が一目瞭然である。  太陽関連データ一覧表６は、縦に項目名の欄が並び、横に１２ヶ月の欄が並ぶ。項目名は、日出時刻、日入時刻、日照時間、日照時間増減、日照時間増減（１日当り）、入射角度、１平方メートル当りの太陽エネルギーである。日出時刻の１２ヶ月の欄には、毎月１日における日出時刻が記載されている。日入時刻の１２ヶ月の欄には、毎月１日における日入時刻が記載されている。日照時間の１２ヶ月の欄には、毎月１日における日照時間が記載されている。日照時間増減の１２ヶ月の欄には、１月単位の日照時間の増減時間（1日平均日照増減時間のこと。）が記載されている。日照時間増減（１日当り）の１２ヶ月の欄には、１日単位の日照時間の増減時間が記載されている。入射角度の１２ヶ月の欄には、毎月１日における最高時の太陽高度とその時の時間が記載されている。太陽エネルギーの１２ヶ月の欄には、毎月１日における参考発電量が記載されている。本実施形態では、太陽関連データ一覧表６に備考欄を設けて、最も早い日出時刻は６月５日から６月２２日までの午前４時２５分であることと、最も遅い日出時刻は１月１日から１月１４日までの午前６時５１分であることと、最も早い日入時刻は１１月３０日から１２月１３日までの午後４時２８分であることと、最も遅い日入時刻は６月２５日から７月５日までの午後７時１分であることが記載されている。  太陽関連データ一覧表６における入射角度とは太陽高度をあらわした項目名である。ここには、たとえば、南中時の太陽高度を記載してもよい。太陽高度は観測地点の緯度によって多少異なるが、東京に代表させてもよいし、複数の緯度における太陽高度を並記してもよい。  太陽関連データ一覧表６における太陽エネルギーとは参考発電量をあらわした項目名である。ここではいくつかの条件を設定しシミュレーションして得られた数値を記載している。太陽光発電を導入した場合にどれくらいの発電量が期待できるかを想像するための目安になる数値である。太陽電池パネルを設置できる屋根の面積×参考発電量＝見込める発電量の参考数値ということで、各自で簡単に算出することが可能である。しかし実際の発電量は、設置する場所、太陽光発電システムの種類、太陽電池パネルの面積や設置方向や設置角度、天候、太陽光パネルの温度など、様々な要因に左右されるため、参考発電量と実際の発電量が一致しない可能性が高いといえる。参考発電量の１２ヶ月の欄において、日差しが強くなる夏の期間に発電量がダウンする現象がみられるが、これは太陽電池パネルが太陽の熱に焼かれて高温となり、発電効率が低下したことによるものである。  日の出入表をどのような形態で実施するかは自由である。１枚の印刷物でもよい。見開き一面の印刷物としてもよい。カレンダーの裏などに印刷してもよい。学校で啓蒙用に張り出してもよいし、教材として用いてもよい。太陽光発電システム普及のための資料として活用してもよい。
【手続補正書】
【提出日】平成23年4月8日(2011.4.8)
【手続補正１】
【補正対象書類名】実用新案登録請求の範囲
【補正対象項目名】全文
【補正方法】変更
【補正の内容】
【実用新案登録請求の範囲】
【請求項１】
少なくとも、
印刷物の一面または見開き一面の、
上方に、横軸が１年で縦軸が時刻で日出時刻の年間の変化をあらわす第１の線（１）と日入時刻の年間の変化を表す第２の線（２）が記載された年間日出日入時刻表示グラフ（３）を配して表示し、
下方に、各１２ヶ月の１日における、少なくとも日出時刻、日入時刻、日照時間、太陽高度、快晴時に得られると予想される参考発電量、その月における1日平均日照増減時間の、それぞれの数字が記載された太陽関連データ一覧表（６）を配して表示し、
横軸が夏至を中心とした一定期間で縦軸が時刻で夏至付近の日出時刻の変化をあらわす第１の線（１）と夏至付近の日入時刻の変化をあらわす第２の線（２）が記載されている夏至期間日出日入時刻表示グラフ（４）と、
横軸が冬至を中心とした一定期間で縦軸が時刻で冬至付近の日出時刻の変化をあらわす第１の線（１）と冬至付近の日入時刻の変化をあらわす第２の線（２）が記載されている冬至期間日出日入時刻表示グラフ（５）を、
前記年間日出日入時刻表示グラフ（３）の右上の余白、左上の余白、右下の余白、左下の余白、第１の線（１）と第２の線（２）の間の余白、のいずれかに配して表示したことを特徴とする日の出入表。
【手続補正２】
【補正対象書類名】明細書
【補正対象項目名】０００５
【補正方法】変更
【補正の内容】
【０００５】
上記目的を達成するため、本考案の請求項１の日の出入表は、少なくとも、印刷物の一面または見開き一面の、上方に、横軸が１年で縦軸が時刻で日出時刻の年間の変化をあらわす第１の線と日入時刻の年間の変化を表す第２の線が記載された年間日出日入時刻表示グラフを配して表示し、下方に、各１２ヶ月の１日における、少なくとも日出時刻、日入時刻、日照時間、太陽高度、快晴時に得られると予想される参考発電量、その月における1日平均日照増減時間の、それぞれの数字が記載された太陽関連データ一覧表を配して表示し、横軸が夏至を中心とした一定期間で縦軸が時刻で夏至付近の日出時刻の変化をあらわす第１の線と夏至付近の日入時刻の変化をあらわす第２の線が記載されている夏至期間日出日入時刻表示グラフと、横軸が冬至を中心とした一定期間で縦軸が時刻で冬至付近の日出時刻の変化をあらわす第１の線と冬至付近の日入時刻の変化をあらわす第２の線が記載されている冬至期間日出日入時刻表示グラフを、前記年間日出日入時刻表示グラフの右上の余白、左上の余白、右下の余白、左下の余白、第１の線（１）と第２の線（２）の間の余白、のいずれかに配して表示したことを特徴とする。
【手続補正３】
【補正対象書類名】明細書
【補正対象項目名】０００８
【補正方法】変更
【補正の内容】
【０００８】
図１は、紙の一面に、年間日出日入時刻表示グラフ３と夏至期間日出日入時刻表示グラフ４と冬至期間日出日入時刻表示グラフ５と太陽関連データ一覧表６を配して印刷表示された日の出入表である。題名は自由であるが、本実施形態においては、日出時刻・日入時刻・日照時間・月別推移表、と表示してある。紙の上方に年間日出日入時刻表示グラフ３を配し、紙の下方に太陽関連データ一覧表６を配し、年間日出日入時刻表示グラフ３の第１の線１と第２の線２の間の余白に夏至期間日出日入時刻表示グラフ４を配し、年間日出日入時刻表示グラフ３の左下の余白に冬至期間日出日入時刻表示グラフ５を配した。年間日出日入時刻表示グラフ３の第１の線１と第２の線２が描かれていない箇所に夏至期間日出日入時刻表示グラフ４と冬至期間日出日入時刻表示グラフ５が表示されている。
年間日出日入時刻表示グラフ３は、横軸を１年とし縦軸を１日の時刻とし、そこに日々の日出時刻を結んだ第１の線１と、日々の日入時刻を結んだ第２の線２を、それぞれ記載したものである。本実施形態の縦軸は、午前４時２０分から午前７時までと、午後４時から午後７時までを表示し、それ以外の時間帯を省略してある。本実施形態では、年間日出日入時刻表示グラフ３に備考欄を設けて、夏至は日出時刻が午前４時２５分で日入時刻が午後７時で日照時間が年間最長の１４時間３５分間であることと、冬至は日出時刻が午前６時４７分で日入時刻が午後４時３２分で日照時間が年間最短の９時間４５分間であることと、夏至と冬至の日照時間の差が４時間５０分であることと、春分は日出時刻が午前５時４５分で日入時刻が午後５時５３分で日照時間が１２時間８分であることと、秋分は日出時刻が午前５時３０分で日入時刻が午後５時３７分で日照時間が１２時間７分であることと、秋分が春分と比べて日出時刻が１５分早く日入時刻が１６分早いことが記載されている。
夏至期間日出日入時刻表示グラフ４は、横軸を夏至を中心とした一定期間とし、縦軸を１日の時刻とし、そこに日々の日出時刻を結んだ第１の線１と、日々の日入時刻を結んだ第２の線２を、それぞれ記載したものである。本実施形態の横軸は、５月２０日から７月２０日までの２ヶ月間であり、夏至がどこにあるかが示されている。本実施形態の縦軸は、午前４時２０分から午前４時４０分までと、午後６時４０分から午後７時までを表示し、それ以外の時間帯を省略してある。夏至期間日出日入時刻表示グラフ４の横軸の長さは、年間日出日入時刻表示グラフ３の横軸における２ヶ月間の長さの３倍あるため、日出時刻がマイナスからプラスに反転し日入時刻がプラスからマイナスに反転する夏至付近の微妙な変化が一目瞭然である。
冬至期間日出日入時刻表示グラフ５は、横軸を冬至を中心とした一定期間とし、縦軸を１日の時刻とし、そこに日々の日出時刻を結んだ第１の線１と、日々の日入時刻を結んだ第２の線２を、それぞれ記載したものである。本実施形態の横軸は、１２月１日から１月１５日までの１ヶ月半であり、冬至がどこにあるかが示されている。本実施形態の縦軸は、午前６時３０分から午前６時５０分までと、午後４時２５分から午後４時５０分までを表示し、それ以外の時間帯を省略してある。冬至期間日出日入時刻表示グラフ５の横軸の長さは、年間日出日入時刻表示グラフ３の横軸における１ヶ月半の長さの３倍あるため、日出時刻がプラスからマイナスに反転し日入時刻がマイナスからプラスに反転する冬至付近の微妙な変化が一目瞭然である。
太陽関連データ一覧表６は、縦に項目名の欄が並び、横に１２ヶ月の欄が並ぶ。項目名は、日出時刻、日入時刻、日照時間、日照時間増減、日照時間増減（１日当り）、入射角度、１平方メートル当りの太陽エネルギーである。日出時刻の１２ヶ月の欄には、毎月１日における日出時刻が記載されている。日入時刻の１２ヶ月の欄には、毎月１日における日入時刻が記載されている。日照時間の１２ヶ月の欄には、毎月１日における日照時間が記載されている。日照時間増減の１２ヶ月の欄には、１月単位の日照時間の増減時間（1日平均日照増減時間のこと。）が記載されている。日照時間増減（１日当り）の１２ヶ月の欄には、１日単位の日照時間の増減時間が記載されている。入射角度の１２ヶ月の欄には、毎月１日における最高時の太陽高度とその時の時間が記載されている。太陽エネルギーの１２ヶ月の欄には、毎月１日における参考発電量が記載されている。本実施形態では、太陽関連データ一覧表６に備考欄を設けて、最も早い日出時刻は６月５日から６月２２日までの午前４時２５分であることと、最も遅い日出時刻は１月１日から１月１４日までの午前６時５１分であることと、最も早い日入時刻は１１月３０日から１２月１３日までの午後４時２８分であることと、最も遅い日入時刻は６月２５日から７月５日までの午後７時１分であることが記載されている。
太陽関連データ一覧表６における入射角度とは太陽高度をあらわした項目名である。ここには、たとえば、南中時の太陽高度を記載してもよい。太陽高度は観測地点の緯度によって多少異なるが、東京に代表させてもよいし、複数の緯度における太陽高度を並記してもよい。
太陽関連データ一覧表６における太陽エネルギーとは参考発電量をあらわした項目名である。ここではいくつかの条件を設定しシミュレーションして得られた数値を記載している。太陽光発電を導入した場合にどれくらいの発電量が期待できるかを想像するための目安になる数値である。太陽電池パネルを設置できる屋根の面積×参考発電量＝見込める発電量の参考数値ということで、各自で簡単に算出することが可能である。しかし実際の発電量は、設置する場所、太陽光発電システムの種類、太陽電池パネルの面積や設置方向や設置角度、天候、太陽光パネルの温度など、様々な要因に左右されるため、参考発電量と実際の発電量が一致しない可能性が高いといえる。参考発電量の１２ヶ月の欄において、日差しが強くなる夏の期間に発電量がダウンする現象がみられるが、これは太陽電池パネルが太陽の熱に焼かれて高温となり、発電効率が低下したことによるものである。
日の出入表をどのような形態で実施するかは自由である。１枚の印刷物でもよい。見開き一面の印刷物としてもよい。カレンダーの裏などに印刷してもよい。学校で啓蒙用に張り出してもよいし、教材として用いてもよい。太陽光発電システム普及のための資料として活用してもよい。